(57)【要約】【課題】塩素バイパスダストを低コストでハンドリング性を高く維持しながら保管・輸送する。【解決手段】塩素バイパスダストＤ１を加圧して粒状化する加圧粒状化装置３と、塩素バイパスダストを加圧して粒状化した後、保管又は／及び輸送する保管・輸送装置（第１のタンク６〜第２のタンク９）とを備える塩素バイパスダストの保管・輸送装置１。塩素バイパスダストを加圧して粒状化する（圧密するだけであってペレット状にしない）ことで、塩素バイパスダストの粒径を大きくして比表面積を低減し、塩素バイパスダストの潮解性を弱めることができる。加圧粒状化装置は、粒状化したダストを粒度調整する装置を備えることができる。加圧粒状化装置から排出されたダストの粒状化物Ｄ２をタンク６に保管し、タンク６に保管されたダストを圧縮空気Ａを用いて配管８を介して輸送することができる。【選択図】図１
2017145174.tif 000002
【特許請求の範囲】
【請求項１】
塩素バイパスダストを加圧して粒状化した後、保管又は／及び輸送することを特徴とする塩素バイパスダストの保管・輸送方法。
【請求項２】
前記粒状化したダストを粒度調整することを特徴とする請求項１に記載の塩素バイパスダストの保管・輸送方法。
【請求項３】
前記粒状化したダストをタンクに保管し、
該タンクに保管されたダストを圧縮空気を用いて輸送することを特徴とする請求項１又は２に記載の塩素バイパスダストの保管・輸送方法。
【請求項４】
塩素バイパスダストを加圧して粒状化する加圧粒状化装置と、
塩素バイパスダストを加圧して粒状化した後、保管又は／及び輸送する保管・輸送装置とを備えることを特徴とする塩素バイパスダストの保管・輸送装置。
【請求項５】
前記粒状化したダストを粒度調整する装置を備えることを特徴とする請求項４に記載の塩素バイパスダストの保管・輸送装置。
【請求項６】
前記加圧粒状化装置から排出されたダストを保管するタンクと、
該タンクに保管されたダストを圧縮空気を用いて輸送する配管とを備えることを特徴とする請求項４又は５に記載の塩素バイパスダストの保管・輸送装置。
【発明の詳細な説明】
【技術分野】
【０００１】
本発明は、セメントキルンに付設された塩素バイパスシステムから回収された高い潮解性を有する塩素バイパスダストを保管又は／及び輸送する方法及び装置に関する。
【背景技術】
【０００２】
セメント製造設備におけるプレヒータの閉塞等の問題を引き起こす原因となる塩素を除去するため、セメントキルンの窯尻から最下段サイクロンに至るまでのキルン排ガス流路より燃焼ガスの一部を冷却しながら抽気し、抽気したガスを分級機によって粗粉と微粉含有ガスとに分離して粗粉を回収してセメントキルン系に戻すと共に、微粉含有ガスから回収した粒径５〜７μｍ程度以下の微粉（塩素バイパスダスト）をセメント粉砕工程でセメントクリンカと共に粉砕したり、水洗により塩素を除去した後、セメント原料等として利用している。
【０００３】
しかし、塩素バイパスダストは高い潮解性を有するため、回収した塩素バイパスダストをセメント粉砕工程等に供給するにあたり、タンクで長期保管したり配管を用いて圧縮空気等で輸送する際に、タンクや配管の壁面温度が低下すると塩素バイパスダストが吸湿してタンクや配管に付着し、輸送が困難となったり、タンクや配管を閉塞させるおそれがあった。
【０００４】
そこで、特許文献１には、塩素バイパスダストを第１のタンクに保管すると共に乾燥圧縮空気を供給し、塩素バイパスダストの潮解を抑制しながら第１のタンクに保管している塩素バイパスダストを第２のタンクへ輸送する塩素バイパスダストの処理装置が記載されている。
【先行技術文献】
【特許文献】
【０００５】
【特許文献１】特許第４７４６１５８号公報
【発明の概要】
【発明が解決しようとする課題】
【０００６】
しかし、上記特許文献１に記載の方法では、塩素バイパスダストの輸送に用いる圧縮空気を乾燥させる必要があるため、その分設備コスト及び運転コストが高くなるという問題があった。
【０００７】
そこで、本発明は、上記従来技術における問題点に鑑みてなされたものであって、塩素バイパスダストを低コストでハンドリング性を高く維持しながら保管・輸送することを目的とする。
【課題を解決するための手段】
【０００８】
上記目的を達成するため、本発明は、塩素バイパスダストの保管・輸送方法であって、塩素バイパスダストを加圧して粒状化した後、保管又は／及び輸送することを特徴とする。
【０００９】
ここで、塩素バイパスダストとは、セメントキルンの窯尻から最下段サイクロンに至るまでのキルン排ガス流路より燃焼ガスの一部を抽気し、抽気したガスを分級して粗粉と微粉含有ガスとに分離し、分離により得られた微粉含有ガスから集塵して得られる粒径５〜７μｍ程度以下の微粉をいう。塩素バイパスダストは、容重が小さい上に高い潮解性を有するため付着性が強く、ハンドリングが容易ではない。
【００１０】
本発明によれば、塩素バイパスダストを加圧して粒状化する（圧密するだけであってペレット状にしない）ことで、塩素バイパスダストの粒径を大きくして比表面積を低減し、塩素バイパスダストの潮解性を弱めることができる。また、この粒状化により塩素バイパスダストの容重を大きくすることができる。これらにより、塩素バイパスダストを保管するタンクや輸送配管への塩素バイパスダストの付着性を弱め、塩素バイパスダストのハンドリング性を高めることができる。
【００１１】
上記塩素バイパスダストの保管・輸送方法において、前記粒状化したダストを粒度調整することができる。
【００１２】
また、前記粒状化したダストをタンクに保管し、該タンクに保管されたダストを圧縮空気を用いて輸送することができる。
【００１３】
さらに、本発明は、塩素バイパスダストの保管・輸送装置であって、塩素バイパスダストを加圧して粒状化する加圧粒状化装置と、塩素バイパスダストを加圧して粒状化した後、保管又は／及び輸送する保管・輸送装置とを備えることを特徴とする。
【００１４】
本発明によれば、加圧粒状化装置によって塩素バイパスダストを圧密して塩素バイパスダストの粒径を大きくして比表面積を低減し、塩素バイパスダストの潮解性を弱め、塩素バイパスダストの容重を大きくし、塩素バイパスダストの付着性を弱めることができるため、塩素バイパスダストのハンドリング性を高めることができる。
【００１５】
前記加圧粒状化装置は、前記粒状化したダストを粒度調整する装置を備えることができ、前記加圧粒状化装置から排出されたダストを保管するタンクと、該タンクに保管されたダストを圧縮空気を用いて輸送する配管とで塩素バイパスダストの保管・輸送装置を構成することができる。
【発明の効果】
【００１６】
以上のように、本発明によれば、塩素バイパスダストを低コストでハンドリング性を高く維持しながら保管・輸送することができる。
【図面の簡単な説明】
【００１７】
【図１】本発明に係る塩素バイパスダストの保管・輸送装置の一実施の形態を示す全体構成図である。
【発明を実施するための形態】
【００１８】
次に、本発明を実施するための形態について図面を参照しながら詳細に説明する。
【００１９】
図１は、本発明に係る塩素バイパスダストの保管・輸送装置の一実施の形態を示し、この保管・輸送装置１は、塩素バイパスダストを受け入れて保管するホッパ２と、ホッパ２から排出された塩素バイパスダストＤ１を加圧して粒状化する押出成形機（加圧粒状化装置）３と、押出成形機３から排出されるダストの粒状化物Ｄ２を微粒子Ｆと粗粒子Ｃとに分離する篩４と、篩４から排出された粗粒子Ｃを破砕する破砕機５と、篩４を通過した微粒子Ｆを保管する第１のタンク６と、圧縮空気Ａを供給する圧縮空気供給装置７と、導入された圧縮空気Ａを用いて微粒子Ｆを輸送する配管８と、配管８から排出された微粒子Ｆを保管する第２のタンク９とを備える。
【００２０】
押出成形機３は、塩素バイパスダストＤ１を加圧して粒状化する加圧粒状化装置として設けられる。尚、このような加圧粒状化装置であれば押出成形機３以外のものを用いることができるが、塩素バイパスダストＤ１を６ｍｍ以下に粒状化することのできる加圧粒状化装置を用いることが好ましい。
【００２１】
篩４は、ダストの粒状化物Ｄ２を分級する分級装置（粒度調整装置）として設けられる。尚、ダストの粒状化物Ｄ２を粗粒子Ｃと微粒子Ｆとに分離することができる分級装置であれば、篩以外のものを用いることもできる。尚、篩４の目開きは例えば６ｍｍとする。
【００２２】
次に、上記構成を有する保管・輸送装置１の動作について図１を参照しながら説明する。
【００２３】
塩素バイパスダストＤ１をホッパ２に受け入れて保管し、ホッパ２から押出成形機３に供給する。押出成形機３において、水を添加せずに押出成形機３の運転条件を調整しながら、塩素バイパスダストＤ１をペレット化せずに６ｍｍ以下に粒状化する。押出成形機３から排出したダストの粒状化物Ｄ２は篩４で６ｍｍ以下の微粒子Ｆと、６ｍｍを超える粗粒子Ｃとに分離する。
【００２４】
表１は、塩素バイパスダストＤ１と、この塩素バイパスダストＤ１を押出成形機３により加圧して粒状化して得られたダストの粒状化物Ｄ２の物理的性質を示している。これによると、押出成形機３により塩素バイパスダストＤ１のかさ密度を４倍程度にすると共に、０．５ｍｍ未満の塩素バイパスダストＤ１を０．５ｍｍ〜６ｍｍの粒状化物Ｄ２にできることが判る。
【００２５】
【表１】
2017145174.tif 000003
【００２６】
次に、篩４上に残留する粗粒子Ｃを破砕機５に供給して破砕し、破砕物Ｐを押出成形機３に再度供給して粒状化する。また、篩４を通過した微粒子Ｆを第１のタンク６に供給して保管する。
【００２７】
第１のタンク６から排出した微粒子Ｆを配管８に供給する。また、圧縮空気供給装置７から圧縮空気Ａを配管８に導入して微粒子Ｆを第２のタンク９まで空気輸送する。第２のタンク９に輸送して保管した微粒子Ｆは、セメント粉砕工程１０でセメントクリンカＣＬと共に粉砕したり、水洗して塩素を除去した後、セメント原料等として利用することができる。
【００２８】
尚、押出成形機３における塩素バイパスダストＤ１の粒状化により微粒子Ｆの付着性を低下させたため、圧縮空気Ａを乾燥させずに配管８に導入することができる。また、圧縮空気Ａを第１のタンク６に導入し、圧縮空気Ａによって微粒子Ｆを第１のタンク６から排出することもできる。
【００２９】
以上のように、本実施の形態によれば、塩素バイパスダストＤ１を加圧して粒状化する（圧密するだけであってペレット状にしない）ことで、塩素バイパスダストＤ１の粒径を大きくして比表面積を低減し、塩素バイパスダストＤ１の潮解性を弱めることができる。また、この粒状化により塩素バイパスダストＤ１の容重を大きくすることができる。これらにより、第１のタンク６や配管８への微粒子Ｆの付着性を弱め、塩素バイパスダストＤ１のハンドリング性を高めることができる。
【００３０】
さらに、上記実施の形態においては、塩素バイパスダストＤ１を６ｍｍ以下の粒状にしたが、粒径は６ｍｍ以下に限定されず、どの粒子径においても同様の作用効果を奏する。
【００３１】
尚、上記実施の形態では、塩素バイパスダスト（ダストの粒状化物Ｄ２を分級した後の微粒子Ｆ）の保管装置としてタンク６、９、輸送装置として圧縮空気供給装置７及び配管８を例示したが、その他の装置を用いることもでき、輸送装置として圧縮空気を用いない機械的な輸送装置を用いることもできる。また、必ずしも保管装置と輸送装置を併用する必要はなく、ダストの粒状化物Ｄ２や、粒状化物Ｄ２を分級した後の微粒子Ｆ（すなわち、少なくとも押出成形機３で加圧して粒状化した物）を保管装置を介さずにそのまま輸送装置によって所定の場所に輸送したり、これらを保管装置で一時的に保管した後、保管装置から抜き出して輸送装置を介さずに直接所定の目的に使用することもできる。
【符号の説明】
【００３２】
１  塩素バイパスダストの保管・輸送装置
２  ホッパ
３  押出成形機
４  篩
５  破砕機
６  第１のタンク
７  圧縮空気供給装置
８  配管
９  第２のタンク
１０  セメント粉砕工程
Ａ  圧縮空気
Ｃ  粗粒子
Ｄ１  塩素バイパスダスト
Ｄ２  ダストの粒状化物
Ｆ  微粒子
Ｐ  破砕物
【図１】
2017145174.tif 000004